(57)【要約】  【課題】  カップ部分の形崩れを起こすことなくブラジャーを乾すことができるようにしたハンガーを提供する。  【解決手段】  ブラジャーを乾す際に用いられるブラジャー用ハンガーにおいて、ブラジャー(20)のカップ部分(21)が被せられることにより該カップ部分の立体的形状を保持して形崩れを少なくする２つの椀部(14)と、該２つの椀部を支持する支持部(13)と、該支持部の両端部が取付けられ、上記カップ部分を上記椀部に被せた状態でブラジャーを吊り下げるハンガー本体(11)と、を備える。２つの椀部はその盛り上がり部分を上方に指向させるのがよく、又支持部はバー状をなし、２つの椀部を支持する部分を両端部に対して横方向にオフセットした形状がよく、又２つの椀部は支持部に着脱可能とするのがよい。【選択図】  図１
2008194489.tif 000002
【特許請求の範囲】
【請求項１】
ブラジャーを乾す際に用いられるブラジャー用ハンガーにおいて、
ブラジャーのカップ部分が被せられることにより該カップ部分の立体的形状を保持して形崩れを少なくする２つの椀部と、
該２つの椀部を支持する支持部と、
該支持部の両端部が取付けられ、上記ブラジャーのカップ部分を上記椀部に被せた状態で該ブラジャーを吊り下げるハンガー本体と、を備えたことを特徴とするブラジャー用ハンガー。
【請求項２】
上記２つの椀部はその盛り上がり部分を上方に指向させて上記支持部に支持されている請求項１記載のブラジャー用ハンガー。
【請求項３】
上記支持部はバー状をなし、上記２つの椀部を支持する部分が両端部に対して横方向にオフセットされている請求項２記載のブラジャー用ハンガー。
【請求項４】
上記２つの椀部が上記支持部に着脱可能に支持されている請求項１ないし３のいずれかに記載のブラジャー用ハンガー。
【請求項５】
上記支持部が上記ハンガー本体に着脱可能に取付けられている請求項１記載のブラジャー用ハンガー。
【請求項６】
上記椀部には通気用の穴又はスリットが形成されている請求項１ないし４のいずれかに記載のブラジャー用ハンガー。
【請求項７】
ブラジャーのカップ部分が被せられることにより該カップ部分の立体的形状を保持して形崩れを少なくする２つの椀部と、
該２つの椀部の間を相互に連結する連結片部と、
該連結片部に設けられ、上記ブラジャーのカップ部分の間の部分が引っ掛けられるフックと、
を備えたことを特徴とするブラジャー用ホルダー。
【発明の詳細な説明】
【技術分野】
【０００１】
本発明はブラジャー用ハンガーに関し、特にカップ部分の形崩れを起こすことなくブラジャーを乾すことができるようにしたハンガーに関する。
【背景技術】
【０００２】
女性が下着を洗濯して乾す場合、そのまま屋外に乾すのは心理的な負担が大きいことから、洗濯した下着をネット状の袋やカーテンで目隠しすることが行われている（特許文献１、特許文献２、特許文献３）。
【０００３】
また、ブラジャーを洗濯して乾す場合、ブラジャーの紐部分を洗濯クリップなどで挟んで物干し竿や物干しロープから吊り下げて乾燥させることが多いが、かかる方法でブラジャーが乾燥するとブラジャーの乳房を覆うカップ部分に形崩れが起きやすい。
【０００４】
そこで、吊り下げ可能な縦ポールの途中に肩紐ポールを横方向に延びて固定し、その下側に２本の本体ポールを間隔をあけかつ横方向に延びて固定し、２本の本体ポールには４枚のプレートをブラジャーのカップ部分の間隔をあけて取付け、中央の２つのプレートにはねじ棒を前方に突出して取付け、ブラジャーの肩紐を肩紐ポールに引っ掛け、２本のねじ棒の先端をブラジャーのカップ部分の奥方に当て、カップ部分の形崩れを解消するようにしたブラジャー用ハンガーが提案されている（特許文献４）。
【０００５】
【特許文献１】実用新案登録第３０３１９４８号公報
【特許文献２】実開平０１−１５７６８９号公報
【特許文献３】実開平０１−１０４９８５号公報
【特許文献４】実公平０１−３５７５０号公報
【発明の開示】
【発明が解決しようとする課題】
【０００６】
しかし、特許文献４記載のブラジャー用ハンガーでは２本のねじ棒をブラジャーのカップ部分の奥方に押しつけても、カップ部分の丸い立体的形状を保持することはできず、乾燥した時には依然として形崩れが起きるおそれがあった。
【０００７】
本発明はかかる問題点に鑑み、カップ部分の形崩れを起こすことなくブラジャーを乾すことができるようにしたブラジャー用ハンガーを提供することを課題とする。
【課題を解決するための手段】
【０００８】
そこで、本発明に係るブラジャー用ハンガーは、ブラジャーを乾す際に用いられるブラジャー用ハンガーにおいて、ブラジャーのカップ部分が被せられることにより該カップ部分の立体的形状を保持して形崩れを少なくする２つの椀部と、該２つの椀部を支持する支持部と、該支持部の両端が取付けられ、上記カップ部分を上記椀部に被せた状態でブラジャーを吊り下げるハンガー本体と、を備えたことを特徴とする。
【０００９】
本発明の主たる特徴は乾す際にブラジャーのカップ部分を２つの椀部に被せてカップ部分の立体的形状を保持するようにした点にある。これにより、ブラジャーが乾燥した時に形崩れを起こすことがなくなる。
【００１０】
２つの椀部はその盛り上がり部分を横方向に向かせてもよいが、その場合にはブラジャーのカップ部分を洗濯クリップなどで椀部に取付けておく必要がある。他方、椀部の盛り上がり部分を上方に向かせておくと、ブラジャーのカップ部分を洗濯クリップなどで椀部に取付ける必要がない。
【００１１】
さらに、上述のように椀部の盛り上がり部分を上方に向かせておくと、例えば洗濯ハンガーにＴシャツなどをかけてブラジャーを周囲から隠す、いわゆる目隠しをするときにＴシャツ内に空気の流通するスペースが形成され、Ｔシャツとブラジャーを迅速に乾かせることができる。その結果、特許文献１〜３のように袋やカーテンで目隠しをするという煩わしい作業を行うことなく、女性の心理的な負担を解消できる。
【００１２】
即ち、２つの椀部はその盛り上がり部分を上方に指向させて支持部に支持されているのが好ましい。
【００１３】
さらに、椀部には通気用の穴又はスリットを形成すると、ブラジャーのカップ部分への通気性が向上し、短時間で乾燥させることができる。
【００１４】
支持部は２つの椀部を支持できればその形状は特に限定されない。しかし、真直なバーやプレートにすると、ブラジャーの横紐がバーやプレートと干渉し、これを回避しようとすると、横紐が椀部を斜めに引っ張って椀部の形崩れの原因となるおそれがある。
【００１５】
そこで、支持部はバー状となし、支持部の２つの椀部を支持する部分を支持部の両端部に対して横方向にオフセットされた形状とすると、横紐を椀部からそのまま下方に垂れさせることができ、椀部の形崩れを抑制できる。
【００１６】
２つの椀部は支持部に固定してもよく、着脱可能に支持するようにしてもよい。特に、２つの椀部を支持部に対して着脱できるようにすると、ブラジャーが乾燥した後、カップ部分を椀部に被せたままブラジャーをハンガーから外し、箪笥などに収納しておくことができ、収納中における形崩れも抑制できる。
【００１７】
また、支持部はその両端部をハンガー本体に固定してもよく、ハンガー本体に着脱可能に取付けるようにしてもよい。特に、支持部の両端部をハンガー本体に着脱できるようにすると、支持部及び椀部を取り外し、ハンガー本体を通常のハンガーとして利用することもできる。
【００１８】
椀部、支持部及びハンガー本体は上述の機能を実現できれば特に材質は限定されず、金属材料、プラスチック材料、木材等、あるいはこれらを適宜組み合わせて用いることができる。
【発明を実施するための最良の形態】
【００１９】
以下、本発明を図面に示す具体例に基づいて詳細に説明する。図１ないし図５は本発明に係るブラジャー用ハンガーの好ましい実施形態を示す。本例のハンガー１０において、ハンガー本体１１は例えばプラスチック材料を用い、左右の傾斜辺部分１１Ａの外端に縦辺部分１１Ｂを下方に連続させ縦辺部分１１Ｂの下端に水平辺部分１１Ｃを水平方向内方に連続させ水平辺部分１１Ｃの対向する端部の間を小径の連結バー１１Ｄで連結したほぼ三角形状に製作されている。
【００２０】
ハンガー本体１１の頂点にはフック１２が回転自在に取付けられ、又ハンガー本体１１の水平辺部分１１Ｃには係止ピン１１Ｅが突設され、左右の係止ピン１１Ｅには支持バー（支持部）１３の両端部位１３Ａの貫通穴１３Ｂが着脱可能に外嵌されるようになっている。
【００２１】
この支持バー１３は例えばプラスチック材料を用いて製作され、支持バー１３の中間部位１３Ｃは両端部位１３Ａに対してクランク状に折り曲げられ、つまり横方向にオフセットされている。
【００２２】
また、支持バー１３の中間部位１３Ｃには図４に示されるように係止片部１３Ｄが相互に間隔をあけかつ起立して形成され、支持バー１３の係止片部１３Ｄには２つの椀部１４の係止受部１４Ａが着脱可能に嵌合されている。
【００２３】
この椀部１４はプラスチック材料を用いて半球形状に製作され、２つの椀部１４の間は連結片部１４Ｂによって相互に連結され、椀部１４の内面には係止受部１４Ａが一体に形成され、係止受部１４Ａには嵌入凹部１４Ｃが形成されて支持バー１３の係止片部１３Ｄが嵌入され、これによって２つの椀部１４は盛り上がり部分を上方に指向させて支持バー１３に着脱可能に取付けられている。
【００２４】
この２つの椀部１４には盛り上がり部分の頂上に通気用の穴１４Ｄが形成されるとともに、その周囲には通気用の複数のスリット１４Ｅが形成され、又椀部１４の連結片部１４Ｂにはブラジャー２０のカップ部分２０Ａの間を引っ掛けるフック１４Ｆが形成されており、２つの椀部１４、連結片部１４Ｂ及びフック１４Ｆによってブラジャー用ホルダーが構成される。
【００２５】
洗濯したブラジャー２０を乾す場合、図１に示されるように、ブラジャー２０のカップ部分２１を２つの椀部１４に被せ、ブラジャー２０の横紐２２を支持バー１３のクランク形状の部分から下方に垂れさせ、ハンガー１０のフック１２を物干し竿や物干しロープに引っ掛ければよく、ブラジャー２０には日光と外気の流れによってすぐに乾燥する。
【００２６】
その際、ハンガー１０の本体部分１１に例えばＴシャツを被せると、ブラシャー２０を周囲から目隠しすることができ、女性は心理的な負担を感じることなくブラジャー２０を乾すことができる。
【００２７】
また、洗濯したＴシャツをハンガー１０に掛けると、Ｔシャツの胸と背中の部分が相互にピタッとくっつき、Ｔシャツ内に空気が流れず、乾燥し難くなるおそれがあるが、本例のハンガー１０では２つの椀部１４が盛り上がり部分を上に向けて取付けられているので、Ｔシャツの胸と背中の部分の間に空間が形成され、Ｔシャツ内に空気がスムーズに流れ、迅速に乾燥させることができる。
【００２８】
ブラジャー２０が乾燥すると、ブラジャー２０のカップ部分２１は椀部１４によって形崩れを回避された状態で乾いているので、ブラジャー２０をハンガー１０から外して取り入れることができる。
【００２９】
また、本例では椀部１４が着脱可能になっているので、ブラジャー２０のカップ部分２１を椀部１４に被せたまま椀部１４を支持バー１３から外すと、椀部１４でカップ部分２１の形状を保持したまま箪笥等に収納することができ、収納中におけるブラジャー２０のカップ部分２１の形崩れを回避することができる。
【００３０】
また、本例のハンガー１０では支持バー１３がハンガー本体１１に対して着脱できるので、支持バー１３を外すと、ハンガー本体１１を通常のハンガーとして用いることもできる。
【００３１】
なお、上記の例では１つのハンガー本体１１に１組の支持バー１３及び椀部１４を支持するようにしたが、左右の係止ピン１１Ｅを複数段形成して２組以上の支持バー１３及び椀部１４を支持するようにしてもよい。
【００３２】
また、椀部１４は盛り上がり部分を上に向けてハンガー本体１１に支持するようにしたが、横向きに支持するようにしてもよい。また、支持バー１３はクランク状にオフセットするのではなく、真直な形状としてもよい。
【００３３】
また、椀部１４は支持バー１３に着脱可能にとしたが、支持バーに固定するようにしてもよい。さらに、支持バー１３はハンガー本体１１に着脱可能としたが、ハンガー本体１１に固定するようにしてもよい。
【００３４】
また、ハンガー本体はほぼ三角形状としたが、四角形状その他の形状としてもよい。また、ハンガー本体１１、支持バー１３及び椀部１４はプラスチック材料で製作したが、プラスチック材料以外の材料、例えば金属材料や木材で製作するようにしてもよい。
【図面の簡単な説明】
【００３５】
【図１】本発明に係るブラジャー用ハンガーの好ましい実施形態におけるブラジャーを乾燥させている状態を示す概略斜視図である。
【図２】上記実施形態における全体構成を示す概略斜視図である。
【図３】上記実施形態における支持バー及び椀部をハンガー本体から外した状態を示す概略斜視図である。
【図４】上記実施形態における椀部を支持バーから外した状態を示す概略斜視図である。
【図５】上記実施形態における椀部の構造を示す断面図である。
【符号の説明】
【００３６】
１０      ブラジャー用ハンガー
１１      ハンガー本体
１３      支持バー（支持部）
１４      椀部
１４Ｄ      穴
１４Ｆ      スリット
２０      ブラジャー
２１      椀部
２２      横紐
【図１】
2008194489.tif 000003
【図２】
2008194489.tif 000004
【図３】
2008194489.tif 000005
【図４】
2008194489.tif 000006
【図５】
2008194489.tif 000007